(57)【要約】【課題】手の大きさや形に関わらず、複数本の指を同時にマッサージ可能な指用マッサージ装置を提供する。【解決手段】本発明に係る指用マッサージ装置８０、８０’は、片手の５本の指を同時にマッサージすることができる。これにより、指のマッサージをさらに効果的かつ効率良く行うことができる。また、本発明に係る指用マッサージ装置は、使用者の指の長さや位置等の個人差に関わらず、使用者の指に対するマッサージを適切に行うことができる。また、使用者に応じた適度な挟持圧でマッサージを行うことができる。さらに、小指〜人差指の大きさ等にバラつきが存在しても各指を全て等しい挟持圧でマッサージすることができる。このように、本発明に係る指用マッサージ装置は、ほぼ全ての使用者に対し指のマッサージを適切に行うことができる。【選択図】図１
2015091289.tif 000002
【特許請求の範囲】
【請求項１】
手の指を左右から挟持する複数の挟持板と、
前記挟持板に設置され挟持された指を圧迫する緩衝部材と、
前記挟持板を異なるタイミングで前後動させる駆動手段と、有し、
前記緩衝部材が指を左右から圧迫しながら、前記挟持板が異なるタイミングで前後動することで、前記指に対するマッサージを行うことを特徴とする指用マッサージ装置。
【請求項２】
小指の外側を押圧する第１挟持板と、小指と薬指の間に位置する第２挟持板と、薬指と中指の間に位置する第３挟持板と、中指と人差指の間に位置する第４挟持板と、人差指の外側を押圧する第５挟持板と、を有し、
第１挟持板と第５挟持板とが閉動作することで、第１挟持板、第２挟持板、第３挟持板、第４挟持板、第５挟持板が、小指と薬指と中指と人差指とをそれぞれ左右から挟持することを特徴とする請求項１記載の指用マッサージ装置。
【請求項３】
第５挟持板の側方に設置され、上下方向に閉動作することで親指の左右を挟持する親指挟持板をさらに有し、
前記親指挟持板が異なるタイミングで前後動することで、親指に対するマッサージを行うことを特徴とする請求項２記載の指用マッサージ装置。
【請求項４】
使用者が台座部を押し下げることで第１挟持板と第５挟持板とが閉動作するとともに、前記台座部の位置に応じて第１挟持板、第５挟持板間の挟持圧が変化することを特徴とする請求項２又は請求項３記載の指用マッサージ装置。
【発明の詳細な説明】
【技術分野】
【０００１】
本発明は、手の指を複数同時にマッサージすることが可能な指用マッサージ装置に関するものである。
【背景技術】
【０００２】
従来、指のツボを刺激する指マッサージは、人の手により行うことが一般的である。ここで、下記［特許文献１］には、手で握ることで手と指とを同時に刺激する簡易マッサージ器具に関する考案が開示されている。
【先行技術文献】
【特許文献】
【０００３】
【特許文献１】実用新案登録第３１０２７０６号公報
【発明の概要】
【発明が解決しようとする課題】
【０００４】
一般的に指マッサージによる指ツボの刺激は、一本の指単独で行うよりも複数の指に同時に行う方が効果的であると言われている。しかしながら、人の手による指マッサージは基本的に一本ずつしか行えず、同時に複数の指にマッサージを施すことは困難であった。また、人の手の大きさや形、指の長さ等には個人差があり、複数の指に対し適度なマッサージを同時に行うことが可能な指用マッサージ装置の開発は困難であった。
【０００５】
本発明は上記事情に鑑みてなされたものであり、手の大きさや形に関わらず、複数本の指を同時にマッサージ可能な指用マッサージ装置を提供することを目的とする。
【課題を解決するための手段】
【０００６】
本発明は、
（１）手の指を左右から挟持する複数の挟持板と、
前記挟持板に設置され挟持された指を圧迫する緩衝部材３２と、
前記挟持板を異なるタイミングで前後動させる駆動手段５０と、有し、
前記緩衝部材３２が指を左右から圧迫しながら、前記挟持板が異なるタイミングで前後動することで、前記指に対するマッサージを行うことを特徴とする指用マッサージ装置を提供することにより、上記課題を解決する。
（２）小指の外側を押圧する第１挟持板３０ａと、小指と薬指の間に位置する第２挟持板３０ｂと、薬指と中指の間に位置する第３挟持板３０ｃと、中指と人差指の間に位置する第４挟持板３０ｄと、人差指の外側を押圧する第５挟持板３０ｅと、を有し、
第１挟持板３０ａと第５挟持板３０ｅとが閉動作することで、第１挟持板３０ａ、第２挟持板３０ｂ、第３挟持板３０ｃ、第４挟持板３０ｄ、第５挟持板３０ｅが、小指と薬指と中指と人差指とをそれぞれ左右から挟持することを特徴とする上記（１）記載の指用マッサージ装置８０、８０’、１００を提供することにより、上記課題を解決する。
（３）第５挟持板３０ｅの側方に設置され、上下方向に閉動作することで親指の左右を挟持する親指挟持板３４ａ、３４ｂをさらに有し、
前記親指挟持板３４ａ、３４ｂが異なるタイミングで前後動することで、親指に対するマッサージを行うことを特徴とする上記（２）記載の指用マッサージ装置８０、８０’、１００を提供することにより、上記課題を解決する。
（４）使用者が台座部３を押し下げることで第１挟持板３０ａと第５挟持板３０ｅとが閉動作するとともに、前記台座部３の位置に応じて第１挟持板３０ａ、第５挟持板３０ｅ間の挟持圧が変化することを特徴とする上記（２）又は（３）記載の指用マッサージ装置８０、８０’、１００を提供することにより、上記課題を解決する。
【発明の効果】
【０００７】
本発明に係る指用マッサージ装置によれば、複数本の指を同時にマッサージすることが可能となる。これにより、指のマッサージを効果的かつ効率良く行うことができる。また、本発明に係る指用マッサージ装置は、指の挿入位置や挟持圧等の自由度が高いため、手指の個人差に関わらず、ほぼ全ての使用者に対し指のマッサージを行うことができる。
【図面の簡単な説明】
【０００８】
【図１】本発明に係る指用マッサージ装置の好適な一例の上面図である。
【図２】本発明に係る指用マッサージ装置の開状態の上面図である。
【図３】本発明に係る指用マッサージ装置の緩衝部材を示す図である。
【図４】本発明に係る指用マッサージ装置を底面側から見た図である。
【図５】本発明に係る指用マッサージ装置の閉状態の上面図である。
【図６】本発明の開閉体の移動機構の開状態を示す図である。
【図７】本発明の開閉体の移動機構の閉状態を示す図である。
【図８】本発明の親指挟持部を第５挟持板側から見た概略側面図である。
【図９】本発明の親指挟持部を手前側から見た概略側面図である。
【図１０】本発明の親指挟持部を第１挟持板側から見た概略側面図である。
【図１１】本発明の親指挟持部の閉状態を第５挟持板側から見た概略側面図である。
【図１２】本発明に係る指用マッサージ装置の使用状態を示す図である。
【発明を実施するための形態】
【０００９】
本発明に係る指用マッサージ装置の実施の形態について図面に基づいて説明する。尚、以下の説明において手前側とは使用者が手を挿し入れる側、即ち使用者に近い側とし、奥側とは使用者から遠い側とする。
【００１０】
先ず、本発明に係る指用マッサージ装置は、複数の手の指を同時にマッサージすることが可能である。従って、本発明の指用マッサージ装置は、指を挟んでマッサージする挟持板を少なくとも３枚以上有していれば良い。ただし、好適には片手の５本の指を同時にマッサージ可能な下記の指用マッサージ装置８０、８０’の構成をとることが特に好ましい。さらに、本発明に係る指用マッサージ装置は、図１に示すように、左手用の指用マッサージ装置８０と、右手用の指用マッサージ装置８０’とを台座部３上に２台並列して設置した指用マッサージ装置１００とすることが最も好ましい。尚、以後の説明において、指用マッサージ装置の細部に関しては左手用の指用マッサージ装置８０を用いて説明を行い、全体の構成及び動作に関しては指用マッサージ装置１００を用いて説明を行うものとする。
【００１１】
図１に示す本発明に係る指用マッサージ装置１００は、左手用の指用マッサージ装置８０と、これと対称の右手用の指用マッサージ装置８０’とが、台座部３上に親指挟持部３６を内側にして２台並列に設置されている。
【００１２】
また、指用マッサージ装置８０（８０’、１００）は、使用者の手の小指、薬指、中指、人差指をマッサージする本体部と、本体部の側面に設置され使用者の親指をマッサージする親指挟持部３６と、本体部及び親指挟持部３６の挟持板を異なるタイミングで前後動させる駆動手段５０と、を有している。
【００１３】
指用マッサージ装置８０（８０’、１００）の駆動手段５０は、例えば電気で回転するモータ５２と、モータ５２の回転力を減速するとともにトルクの向上を図る減速ギア部５４と、この減速ギア部５４と接続したクランクシャフト１１と、を有している。尚、ここで示した駆動手段５０は本発明に好適な一例であるから、特にこの構成に限定されるものではない。
【００１４】
次に、本発明に係る指用マッサージ装置８０（８０’、１００）の構成を、左手用の指用マッサージ装置８０を用いてさらに詳しく説明する。ここで、図２は左手用の指用マッサージ装置８０の開状態を上から見た図である。尚、本願の図２及び後述の図３〜図１１においては、説明部位と直接関係のない構成についての図示は省略する。
【００１５】
本発明に係る指用マッサージ装置８０の本体部は、上面が開口した筐体１と、筐体１内に設置され使用者の小指の外側を押圧する第１挟持板３０ａと、小指と薬指の間に位置する第２挟持板３０ｂと、薬指と中指の間に位置する第３挟持板３０ｃと、中指と人差指の間に位置する第４挟持板３０ｄと、人差指の外側を押圧する第５挟持板３０ｅと、を有している。この第１挟持板３０ａ〜第５挟持板３０ｅは所定の厚みを有する略長方形の板状部材で構成され、長辺が上方を向くよう筐体１内に並べて設置される。そして、第１挟持板３０ａ〜第５挟持板３０ｅの一端はバネ等の弾性部材１３を介して筐体１にそれぞれ固定される。また、第１挟持板３０ａ〜第５挟持板３０ｅの他端はピアノ線等のコネクティングロッド１７を介してクランクシャフト１１のクランクピンにそれぞれ接続される。これら弾性部材１３とクランクピンとは適度な間隔を取って設置され、これにより第１挟持板３０ａ〜第５挟持板３０ｅは使用者の指が楽に挿入可能な間隔に設置される。尚、第１挟持板３０ａ〜第５挟持板３０ｅの一端は弾性部材１３を介して接続されるため、第１挟持板３０ａ〜第５挟持板３０ｅはある程度の範囲内で前後左右に移動が可能である。
【００１６】
また、第１挟持板３０ａ〜第５挟持板３０ｅは、少なくとも隣り合う挟持板を異なるクランク角のクランクピンと連結する。これにより、隣り合う挟持板が異なるタイミングで前後動し、挟持した指に対するマッサージを行うことができる。尚、第１挟持板３０ａ〜第５挟持板３０ｅを全て異なるクランク角のクランクピンと連結し、第１挟持板３０ａ〜第５挟持板３０ｅを全て異なるタイミングで前後動させるようにしても良い。この構成によれば使用者の各指をそれぞれ異なるタイミングで揉み解すため、更なるマッサージ効果を得ることができる。
【００１７】
また、第１挟持板３０ａ、第５挟持板３０ｅの内側面と、第２挟持板３０ｂ〜第４挟持板３０ｄの両面には、図２、図３に示すように、第１挟持板３０ａ〜第５挟持板３０ｅの挟持動作により人の指を圧迫する緩衝部材３２が設置されている。この緩衝部材３２としてはゴムやウレタン等の弾性変形が可能な材質のものを用いることが好ましい。また、緩衝部材３２は、手指の個人差に対応すべく挟持板の長手方向に比較的広範囲に設置することが好ましい。
【００１８】
次に、指用マッサージ装置８０の好適な挟持板開閉機構の例を説明する。尚、以下に示す挟持板開閉機構は指用マッサージ装置８０（８０’、１００）に好適な一例であるから、特にこの構成に限定されるものではない。
【００１９】
本発明に好適な挟持板開閉機構は、第１挟持板３０ａと接続した第１挟持バー１０ａと、第５挟持板３０ｅと接続した第２挟持バー１０ｂと、第１挟持バー１０ａと第２挟持バー１０ｂとの間に位置し第１挟持バー１０ａ、第２挟持バー１０ｂを開閉動作させる略円筒状の開閉体１４と、を有している。尚、第１挟持バー１０ａ、第２挟持バー１０ｂと第１挟持板３０ａ、第５挟持板３０ｅとの接続位置は、第１挟持バー１０ａ、第２挟持バー１０ｂからの押圧力が使用者の指に十分伝達されるよう指の挟持部近傍とすることが好ましい。また、第１挟持板３０ａ、第５挟持板３０ｅは、第１挟持バー１０ａ、第２挟持バー１０ｂに対し前後方向に可動な状態で接続されている。これにより、第１挟持板３０ａ、第５挟持板３０ｅはクランクシャフト１１の回転動作により前後動が可能である。さらに、第１挟持バー１０ａ、第２挟持バー１０ｂの中ほどには軸孔が形成され、この軸孔には支軸１２がそれぞれ嵌入する。これにより、第１挟持バー１０ａ、第２挟持バー１０ｂは支軸１２を支点にして回動が可能である。
【００２０】
挟持板開閉機構の開閉体１４の周面には溝が形成されており、この溝には第１挟持バー１０ａ、第２挟持バー１０ｂの側辺がスライド可能に嵌入する。また、開閉体１４の底面には、指用マッサージ装置８０を底面側から見た図４に示すように開閉体摺動部２４が設置され、この開閉体摺動部２４は筐体１の底面（及び台座部３）に形成された開閉体案内溝２６に沿って前後方向に移動が可能である。そして、図２に示す開閉体１４が支軸１２近傍の位置（開位置）にある状態では、第１挟持バー１０ａ、第２挟持バー１０ｂは手前側が開いた開状態をとる。また、図５に示す開閉体１４が筐体１の奥側の位置（閉位置）にある状態では、第１挟持バー１０ａ、第２挟持バー１０ｂは手前側が閉じた閉状態をとる。このように、第１挟持バー１０ａ、第２挟持バー１０ｂは開閉体１４の位置に応じて開閉動作し、これに伴って第１挟持板３０ａ、第５挟持板３０ｅも開閉動作する。
【００２１】
尚、図１に示す指用マッサージ装置１００では、左右の指用マッサージ装置８０、８０’の開閉体摺動部２４を連結板２８で連結し、開閉体１４の移動を指用マッサージ装置８０、８０’で連動させることが好ましい。この構成によれば、使用者の指の挟持圧を右手の指と左手の指とで同等とすることが可能となる。
【００２２】
次に、開閉体１４の移動機構の例を説明する。尚、以下に示す開閉体１４の移動機構は指用マッサージ装置８０（８０’、１００）に好適な一例であるから、特にこの構成に限定されるものではない。
【００２３】
ここで、図６は開閉体１４が開位置にあるときの状態を親指挟持部３６の側から見た概略側面図である。また、図７は開閉体１４が閉位置にあるときの状態を親指挟持部３６の側から見た概略側面図である。
【００２４】
図６、図７に示すように、指用マッサージ装置８０の台座部３の下面には、スライド溝７ａを備えた固定フレーム７が設置されている。また、台座部３の下方にはベース板５が存在し、ベース板５の上面にはスライド溝９ａを備えた固定フレーム９が設置されている。そして、固定フレーム７、９の手前側端部には、Ｘ字状に連結された伸縮自在なスライダバー１６の手前側上下端がそれぞれ接続する。また、スライダバー１６の奥側上下端は固定フレーム７、９のスライド溝７ａ、９ａにそれぞれスライド可能な状態で接続する。このスライダバー１６の伸縮により、台座部３はベース板５に対して上下動が可能となる。尚、スライダバー１６を構成する２つのバーの間にはスライダ付勢バネ１８が設置され、スライダバー１６を上下方向に伸びた状態に付勢する。これにより、台座部３は上方向に付勢される。
【００２５】
また、スライダバー１６の奥側上端には指用マッサージ装置８０の開閉体摺動部２４が固定される。これにより、台座部３の上下動と連動してスライダバー１６の奥側端部が前後方向に移動し、これに連動して開閉体摺動部２４及び開閉体１４も前後方向に移動する。そして、図６に示すように、台座部３が上位置にありスライダバー１６が上下方向に伸びた状態では、開閉体１４は手前側の開位置に位置する。この状態で台座部３が下方向に移動すると、スライダバー１６の奥側端部が奥側に移動し、これに伴って開閉体摺動部２４及び開閉体１４も奥側に向かって移動する。そして、図７に示すスライダバー１６が縮んだ状態では、開閉体１４は奥側の閉位置に到達する。
【００２６】
上記の本発明に好適な開閉体１４の移動機構では、台座部３の上下動と連動して開閉体１４が前後動し、これに伴って挟持板の開閉動作が行われる。尚、指用マッサージ装置８０、８０’を２台並列に配置した指用マッサージ装置１００では、図１２に示すように、指用マッサージ装置８０、８０’のそれぞれにスライダバー１６を設置して、２つの移動機構により台座部３を安定的に上下動させることが好ましい。
【００２７】
次に、使用者の親指を挟持する親指挟持部３６に関して説明する。ここで、図８は親指挟持部３６を第５挟持板３０ｅ側の側面から見た概略側面図である。また、図９は親指挟持部３６を指用マッサージ装置８０の手前側から見た概略側面図である。また、図１０は親指挟持部３６を第１挟持板３０ａ側の側面から見た概略側面図である。また、図１１は親指挟持部３６の閉状態を第５挟持板３０ｅ側の側面から見た概略側面図である。
【００２８】
親指挟持部３６は、図８〜図１１に示されるように、上下方向に閉動作することで使用者の親指の左右を挟持する２枚の親指挟持板３４ａ、３４ｂを有している。そして、親指挟持板３４ａ、３４ｂの挟持部位には第１挟持板３０ａ〜第５挟持板３０ｅと同様、緩衝部材３２が設置されている。尚、親指挟持板３４ａ、３４ｂのいずれか一方の内面には、使用者の親指が挟持位置よりも奥側に入り込まないよう規制する規制板４１を設けることが好ましい。そして、これら親指挟持板３４ａ、３４ｂは、筐体１の第５挟持板３０ｅ側の側面に固定された固定枠２内に配置されるとともに、親指挟持板３４ａ、３４ｂを開方向に付勢する第１スプリング４０により固定枠２内に開状態で保持される。また、親指挟持板３４ａ、３４ｂは、図９に示すように、筐体１の側面に一端が固定された第２スプリング４２により筐体１側に付勢される。さらに、親指挟持板３４ａ、３４ｂの奥側には軸孔４３が設置され、この軸孔４３にはクランクシャフト１１のクランクピンが挿入される。尚、親指挟持板３４ａ、３４ｂの軸孔４３には異なるクランク角のクランクピンを挿入する。これにより、２つの親指挟持板３４ａ、３４ｂはそれぞれ異なるタイミングで前後動する。
【００２９】
また、親指挟持部３６は、親指挟持板３４ａ、３４ｂを開閉する親指挟持板開閉機構を有している。ここで、指用マッサージ装置８０（８０’、１００）に好適な親指挟持板開閉機構を以下に示す。尚、以下に示す親指挟持板開閉機構は指用マッサージ装置８０（８０’、１００）に好適な一例であるから、特にこの構成に限定されるものではない。
【００３０】
本発明に好適な親指挟持板開閉機構は、筐体１の側面に回転可能に設置された回動板４４を有している。そして、回動板４４は、親指挟持板３４ａの上方に位置し親指挟持板３４ａ側に突出した押圧部４４ａと、親指挟持板３４ｂの下方に位置し親指挟持板３４ｂ側に突出した押圧部４４ｂと、を有している。また、回動板４４の下端はピアノ線等のコネクティングロッド４６を介して開閉体摺動部２４等の開閉体連動部材と連結される。これにより、開閉体１４が奥側に移動すると回動板４４の下端は奥側に引かれ、回動板４４が回転動作する。回動板４４が回転動作すると、図１１に示すように、押圧部４４ａが下方に移動して親指挟持板３４ａを下方に押圧する。また、押圧部４４ｂが上方に移動して親指挟持板３４ｂを上方に押圧する。これにより、親指挟持板３４ａ、３４ｂが閉動作する。このように、親指挟持板３４ａ、３４ｂの開閉動作は開閉体１４の移動と連動する。よって、上記の親指挟持板開閉機構では、小指〜人差指を挟持する挟持板の開閉動作と親指挟持板３４ａ、３４ｂの開閉動作とを連動させることができる。
【００３１】
次に、本発明に係る指用マッサージ装置の動作を指用マッサージ装置１００を用いて説明する。先ず、指用マッサージ装置１００の待機状態において、指用マッサージ装置１００の台座部３は図６に示す上位置にある。このとき、開閉体１４は支軸１２近傍の開位置にあり、第１挟持バー１０ａ、第２挟持バー１０ｂは開状態をとる。これにより、第１挟持板３０ａ、第２挟持板３０ｂも開状態をとる。このとき、第２挟持板３０ｂ〜第４挟持板３０ｄは無負荷のフリー状態にある。また、開閉体１４が開位置にあるとき、回動板４４は親指挟持板３４ａ、３４ｂを押圧せず、親指挟持板３４ａ、３４ｂは第１スプリング４０の弾性力により開状態に維持される。
【００３２】
次に、使用者が図１２に示すように、左手の小指の指先を指用マッサージ装置８０の第１挟持板３０ａと第２挟持板３０ｂとの間に挿入し、薬指の指先を指用マッサージ装置８０の第２挟持板３０ｂと第３挟持板３０ｃとの間に挿入し、中指の指先を指用マッサージ装置８０の第３挟持板３０ｃと第４挟持板３０ｄと間に挿入し、人差指の指先を指用マッサージ装置８０の第４挟持板３０ｄと第５挟持板３０ｅとの間に挿入する。また、左手の親指の指先を指用マッサージ装置８０の親指挟持板３４ａ、３４ｂの間に挿入する。このときの親指の挿入方向は、親指の左右が上下方向、即ち親指挟持板３４ａ、３４ｂの緩衝部材３２にそれぞれ当接する方向とする。
【００３３】
また、使用者の右手も同様にして、右手の小指の指先を指用マッサージ装置８０’の第１挟持板３０ａと第２挟持板３０ｂとの間に挿入し、薬指の指先を指用マッサージ装置８０’の第２挟持板３０ｂと第３挟持板３０ｃとの間に挿入し、中指の指先を指用マッサージ装置８０’の第３挟持板３０ｃと第４挟持板３０ｄと間に挿入し、人差指の指先を指用マッサージ装置８０’の第４挟持板３０ｄと第５挟持板３０ｅとの間に挿入する。また、右手の親指の指先を指用マッサージ装置８０’の親指挟持板３４ａ、３４ｂの間に挿入する。
【００３４】
次に、使用者は各指を挿入したまま指用マッサージ装置１００を下方に押し下げる。これにより、指用マッサージ装置１００の台座部３が下方に移動し、スライダバー１６が上下方向に縮むとともに、スライダバー１６の奥側上下端がスライド溝７ａ、９ａに沿って奥側に移動する。スライダバー１６の奥側上下端が奥側に移動すると、スライダバー１６の奥側上端に設置された開閉体摺動部２４が開閉体案内溝２６に沿って奥側に移動する。これにより、開閉体１４は奥側の閉位置に向けて移動する。尚、指用マッサージ装置８０、８０’の両開閉体摺動部２４は連結板２８で連結しているため、指用マッサージ装置８０、８０’の開閉体１４は連動して移動する。
【００３５】
開閉体１４が奥側に移動すると、第１挟持バー１０ａ、第２挟持バー１０ｂの奥側が押し拡げられ、これにより第１挟持バー１０ａ、第２挟持バー１０ｂは支軸１２を支点に手前側が狭まるように回動する。この第１挟持バー１０ａ、第２挟持バー１０ｂの閉動作により、第１挟持板３０ａ、第５挟持板３０ｅは互いに狭まる方向に移動する。これにより、使用者の小指は第１挟持板３０ａにより押圧され第２挟持板３０ｂ側に移動する。また第２挟持板３０ｂは使用者の小指により間接的に押圧され使用者の薬指を押圧する。また、使用者の薬指は第２挟持板３０ｂにより押圧され第３挟持板３０ｃに押圧される。また、使用者の人差指は第５挟持板３０ｅにより押圧され第４挟持板３０ｄ側に移動する。また第４挟持板３０ｄは使用者の人差指により間接的に押圧され使用者の中指を押圧する。また、使用者の中指は第４挟持板３０ｄにより押圧され第３挟持板３０ｃに押圧される。
【００３６】
これにより、使用者の両小指の指先は指用マッサージ装置８０、８０’の第１挟持板３０ａと第２挟持板３０ｂとに挟持されて、第１挟持板３０ａと第２挟持板３０ｂの緩衝部材３２により圧迫される。また、使用者の両薬指の指先は第２挟持板３０ｂと第３挟持板３０ｃとに挟持されて、第２挟持板３０ｂと第３挟持板３０ｃの緩衝部材３２により圧迫される。また、使用者の両中指の指先は第３挟持板３０ｃと第４挟持板３０ｄとに挟持されて、第３挟持板３０ｃと第４挟持板３０ｄの緩衝部材３２により圧迫される。また、使用者の両人差指の指先は第４挟持板３０ｄと第５挟持板３０ｅとに挟持されて、第４挟持板３０ｄと第５挟持板３０ｅの緩衝部材３２により圧迫される。
【００３７】
また、開閉体１４が奥側に移動すると回動板４４の下端が奥側に引かれ、回動板４４が回転する。回動板４４が回転すると回動板４４の両押圧部４４ａ、４４ｂが親指挟持板３４ａ、３４ｂに当接し、これを閉じる方向に押圧する。これにより、親指挟持板３４ａ、３４ｂは閉動作し、使用者の親指の左右を上下方向から挟持する。そして、親指挟持板３４ａ、３４ｂの緩衝部材３２は使用者の親指の左右を圧迫する。
【００３８】
使用者は指への挟持圧が適度となった時点で台座部３の押し下げを停止する。これにより、指への挟持圧が適度な状態で維持される。
【００３９】
使用者の指が挟持されると図示しないスイッチがオンし、駆動手段５０のモータ５２が回転する。尚、駆動手段５０を稼働するスイッチは、例えばフットスイッチ等を用いて使用者や施術者がオン・オフするようにしても良いが、挟持動作に関与する部材の位置や挟持板の挟持圧を検知して自動的にオン・オフすることが好ましい。
【００４０】
駆動手段５０が稼働してモータ５２が回転すると、モータ５２の回転力は減速ギア部５４を介してクランクシャフト１１に伝達され、これによりクランクシャフト１１が回転する。クランクシャフト１１が回転すると各クランクピンが回転し、クランクピンに接続したコネクティングロッド１７はクランクピンの回転動作を第１挟持板３０ａ〜第５挟持板３０ｅの往復直線運動（前後動）に変換して伝達する。これにより、第１挟持板３０ａ〜第５挟持板３０ｅは使用者の小指〜人差指を緩衝部材３２で圧迫したまま前後動する。このとき、第１挟持板３０ａ〜第５挟持板３０ｅはクランク角の異なるクランクピンと連結しているから、第１挟持板３０ａ〜第５挟持板３０ｅは異なるタイミングで前後動する。これにより、第１挟持板３０ａ〜第５挟持板３０ｅは使用者の小指〜人差指を揉み解すマッサージ動作を行う。
【００４１】
また、親指挟持板３４ａ、３４ｂの軸孔４３にはクランクシャフト１１の異なるクランク角のクランクピンが挿入されており、クランクシャフト１１の回転動作により親指挟持板３４ａ、３４ｂは使用者の親指を緩衝部材３２で圧迫したまま異なるタイミングで前後動する。これにより、親指挟持板３４ａ、３４ｂは使用者の親指を揉み解すマッサージ動作を行う。
【００４２】
以上のように、本発明に係る指用マッサージ装置は複数本の指を同時にマッサージすることができる。これにより、指のマッサージを効果的かつ効率良く行うことができる。特に、指用マッサージ装置８０、８０’は、片手の５本の指を同時にマッサージすることができる。これにより、指のマッサージをさらに効果的かつ効率良く行うことができる。また更に、指用マッサージ装置１００は、両手の１０本の指を同時にマッサージすることができる。これにより、指のマッサージをさらにより一層、効果的かつ効率良く行うことができる。
【００４３】
また、本発明に係る指用マッサージ装置８０、８０’、１００は、長辺が上方を向くよう設置された略長方形の第１挟持板３０ａ〜第５挟持板３０ｅを有している。また、第１挟持板３０ａ〜第５挟持板３０ｅの長手方向に使用者の指を圧迫する緩衝部材３２が比較的広範囲に設置されている。そして、使用者はこれら第１挟持板３０ａ〜第５挟持板３０ｅの間に小指〜人差指をそれぞれ挿入してマッサージを行う。このため、指用マッサージ装置８０、８０’、１００は、使用者の指の長さや位置等の個人差に関わらず、使用者の指に対するマッサージを適切に行うことができる。また、指用マッサージ装置８０、８０’、１００は指への挟持圧を使用者自身により調節することができる。このため、使用者に応じた適度な挟持圧でマッサージを行うことができる。さらに、本発明に係る指用マッサージ装置８０、８０’、１００の第１挟持板３０ａ〜第５挟持板３０ｅは、外側の第１挟持板３０ａ、第５挟持板３０ｅが開閉動作し、内側の第２挟持板３０ｂ〜第４挟持板３０ｄは自発的な開閉動作を行わない。このため、小指〜人差指の大きさ等にバラつきが存在しても各指を全て等しい挟持圧でマッサージすることができる。このように、本発明に係る指用マッサージ装置８０、８０’、１００は、指の挿入位置や挟持圧等の自由度が高く、ほぼ全ての使用者に対し指のマッサージを適切に行うことができる。
【００４４】
尚、本例で示した指用マッサージ装置８０は一例であり、各部の寸法形状、動作機構等は、本発明の要旨を逸脱しない範囲で変更して実施することが可能である。
【符号の説明】
【００４５】
３      台座部
３０ａ  第１挟持板
３０ｂ  第２挟持板
３０ｃ  第３挟持板
３０ｄ  第４挟持板
３０ｅ  第５挟持板
３２    緩衝部材
３４ａ、３４ｂ  親指挟持板
５０    駆動手段
８０、８０’、１００  指用マッサージ装置
【図１】
2015091289.tif 000003
【図２】
2015091289.tif 000004
【図３】
2015091289.tif 000005
【図４】
2015091289.tif 000006
【図５】
2015091289.tif 000007
【図６】
2015091289.tif 000008
【図７】
2015091289.tif 000009
【図８】
2015091289.tif 000010
【図９】
2015091289.tif 000011
【図１０】
2015091289.tif 000012
【図１１】
2015091289.tif 000013
【図１２】
2015091289.tif 000014